(57)【特許請求の範囲】
【請求項１】
一枚のブランクシートから一体的に打ち抜かれた箱体形成片からなり、箱体を形成する一側面の側方に糊付け片を介して連設される中央仕切板と、この中央仕切板の上端部に連設され複数の仕切片からなる仕切構成部と、上記中央仕切板に形成され底面と平行な折罫線と、箱体を形成する一側面の上端部に設けられこの側面に重ねられる折返片と、この折返部の上端部に連設され複数の仕切片からなる仕切構成部が設けられ、箱体の組み立て状態で、箱体の中央に沿って上記中央仕切板が位置し、上記中央仕切板の両側面から上記中央仕切板に対して直角に複数の上記仕切片が位置し、各仕切片は互いに対面し、上下方向が相対的に長い形状に形成され、上記中央仕切板に平行な２側面の下端に、この箱体の底部分を形成する底蓋片が各々設けられ、上記底蓋片と直交する側面下端には底フラップが設けられ、この底フラップには折罫線を介して上記底蓋片に糊付けされる糊付け片が形成され、上記中央仕切板と上記底蓋片は折り畳み状態で重ねられており、箱体に組み立てる際、上記底蓋片は上記中央仕切板の表面を押しながら摺動し、上記中央仕切板が上記折罫線に沿って折れ、上記底蓋片の動きを妨げず組み立て可能であることを特徴とする仕切付包装用箱。
【請求項２】
上記箱体は、上記中央仕切板に平行な２側面の下端に、この箱体の底部分を形成する底蓋片が各々設けられ、この底蓋片の端縁部には、上記箱体の組み立て状態で互いに合掌状態に重ねられ、上記底蓋片から直角に中央仕切板に沿って起立する板状の立上片が設けられていることを特徴とする請求項１記載の仕切付包装用箱。
【請求項３】
上記各底蓋片の端縁部には、上記立上片の一側方にその立上片の折罫線より外側に突出された段部が、各々同一方向に形成され、この段部と上記立上片の境界線上には切込線が設けられ、上記段部は箱体の組み立て状態で、上記底蓋片から起立した上記立上片の基端部に、上記立上片に対して直角に当接することを特徴とする請求項２記載の仕切付包装用箱。
【発明の詳細な説明】
【０００１】
【発明の属する技術分野】
この発明は、複数の同形の商品を各々仕切って収容し、保管や運搬を行なう仕切付包装用箱に関する。
【０００２】
【従来の技術】
従来、紙製の一枚のブランクシートを打ち抜いて形成され、ワンタッチで組み立てられる仕切付の包装用箱は、実公平４−４７０５７号公報に開示されているように、箱を形成する後壁１、側壁２、前壁３、側壁４と後壁１の内面に重合貼着する内後壁９が、折れ目を介して連接されている。そして、内後壁９と前壁３の各々の上縁には、各々の内面に重合貼着する補強板１１、１１が連設され、さらに補強板には複数の仕切片１４からなる中央仕切壁１２、１２が連設されている。
【０００３】
この包装用箱の組み立て方法は、まず補強板１１、１１を前壁３と内後壁９の内面に貼着し、次に補強板１１、１１から中央仕切壁１２、１２を谷折りする。そして、側壁４と内後壁９の間の折罫線を折り、各中央仕切壁１２、１２の上縁相互を貼着し、一方の中央仕切壁１２の両端部を側壁２、４の内面に貼着する。さらに後壁１と側壁２の間の折罫線を折り、後壁１と内後壁９を貼着する。
【０００４】
このように偏平状態に組み立てられた包装用箱は、側面２、４を起立させて箱体にする。このとき、中央仕切壁１２は箱体中央に形成され、中央仕切壁１２から各仕切片１４は起こされ、中央仕切壁１２、１２の両側に仕切られた収容空間が形成される。
【０００５】
【発明が解決しようとする課題】
上記従来の技術の場合、中央仕切壁１２と各仕切片１４はいずれも箱体の底面まで達していないもので、仕切片１４と底面との間は仕切られていない状態となる。このため、隣の商品と底付近で互いにぶつかったり、破損したりすることがあった。これを防ぐため、中央仕切壁と平行に、底蓋片から中央仕切壁１２に向かって突出する立ち上がり片が底蓋片と一体に形成されているものもあるが、これは仕切片１４を挟んで隣り合う商品の保護を行なうためには充分なものではなかった。また、中央仕切板１２の下端縁部分は、各仕切片１４の形跡が残り、凹凸が連続して形成され、強度が弱く、破損しやすいものであった。
【０００６】
この発明は、上記従来の技術の問題点に鑑みてなされたもので、簡単な構成で、組み立ても容易であり、確実に商品を仕切って保護する仕切付包装用箱を提供することを目的とする。
【０００７】
【課題を解決するための手段】
この発明は、一枚のブランクシートから一体的に打ち抜かれた箱体形成片からなり、箱体を形成する一側面の側方に糊付け片を介して連設される中央仕切板と、この中央仕切板の上端部に連設され複数の仕切片からなる仕切構成部と、上記中央仕切板に形成され底面と平行な折罫線と、箱体を形成する一側面の上端部に設けられこの側面に重ねられる折返片と、この折返部の上端部に連設され複数の仕切片からなる仕切構成部が設けられ、箱体の組み立て状態で、箱体の中央に沿って上記中央仕切板が位置し、上記中央仕切板の両側面から上記中央仕切板に対して直角に複数の上記仕切片が位置し、各仕切片は互いに対面し、上下方向が相対的に長い形状に形成され、上記中央仕切板に平行な２側面の下端に、この箱体の底部分を形成する底蓋片が各々設けられ、上記底蓋片と直交する側面下端には底フラップが設けられ、この底フラップには折罫線を介して上記底蓋片に糊付けされる糊付け片が形成され、上記中央仕切板と上記底蓋片は折り畳み状態で重ねられており、箱体に組み立てる際、上記底蓋片は上記中央仕切板の表面を押しながら摺動し、上記中央仕切板が上記折罫線に沿って折れ、上記底蓋片の動きを妨げず組み立て可能な仕切付包装用箱である。
【０００８】
上記箱体は、上記中央仕切板に平行な２側面の下端に、この箱体の底部分を形成する底蓋片が各々設けられ、この底蓋片の端縁部には、上記箱体の組み立て状態で互いに合掌状態に重ねられ、上記底蓋片から直角に中央仕切板に沿って起立する板状の立上片が設けられている。
【０００９】
上記各底蓋片の端縁部には、立上片の一側方に立上片の折罫線より外側に突出された段部が、各々同一方向に形成され、この段部と立上片の境界線上には切込線が設けられている。上記段部は箱体の組み立て状態で、底蓋片から起立した立上片の基端部に、立上片に対して直角に当接する。
【００１０】
この発明の仕切付包装用箱は、一枚のブランクシートを所定の順序で糊付けと折り返しを行ない、その後ワンタッチで箱体に組み立てられる。このとき、各仕切片は箱体内に仕切を形成し、各仕切片は垂直方向が長い形状であり、垂直方向に長い仕切が形成される。
【００１１】
【発明の実施の形態】
以下、この発明の実施の形態について、図面に基づいて説明する。図１〜図６はこの発明の第一実施形態を示すもので、この実施形態の仕切付包装用箱は、図１に示す箱体形成片１０が、紙製等の一枚のブランクシートを打ち抜いて形成されている。この箱体形成片１０は、側面１２、１４、１６、１８が一体に連接して形成されている。さらに組み立て状態で側面１８の内側に糊付けされる糊付け片２０が、側面１２の側方に連接して形成されている。糊付け片２０、側面１２、１４、１６、１８は各々折罫線２２、２４、２６、２８で区切られている。
【００１２】
糊付け片２０の側方に、側面１２、１６よりわずかに小さい中央仕切板３０が、折罫線３２で区切られて一体に連接して形成されている。中央仕切板３０の上端部には、仕切構成部３６が、折罫線３４で区切られて設けられている。折罫線３２、３４上には断続して切込線が形成されている。
【００１３】
仕切構成部３６は、折罫線３４に隣接して板状の折返片３８が形成され、折返片３８から４枚のくの字型の仕切片４０が形成されている。４枚の仕切片４０は互いに平行に隣接し、各仕切片４０は切込線４２で各々区切られ、各切込線４２は、折罫線５８を水平方向に５等分する位置に形成される。仕切片４０の端部には、一枚の、折罫線３４に平行な長辺を有する矩形の仕切支持部４４が設けられている。そして各切込線４２は仕切支持部４４の端縁部付近に達し、各切込線４２の先端部分は仕切支持部４４の端縁部と平行となっている。各切込線４２の仕切支持部４４側の端部から、折罫線３４に向かって折罫線３４に対して直角に切込線４６が設けられ、切込線４６と切込線４２の間には上下共に切り残し部が設けられている。また、各切込線４２の、折返片３８側の端部から、折罫線３４に直角に折罫線４８が、隣接する切込線４２へ向かって上方に形成されている。
【００１４】
中央仕切板３０の下方には、水平方向に折罫線５４が設けられ、折罫線５４上に折罫線５４に沿って切込線が断続して設けられている。中央仕切板３０の折罫線３２に近い部分は角部が切り取られた切欠部５５が形成されている。
【００１５】
上蓋片５６は、折罫線５８で側面１２の上端と区切られている。上蓋片５６には、さらに差込み片６０が折罫線６２で区切られて形成され、折罫線６２の両脇に、折罫線６２に平行な切込線６４が各１個設けられている。フラップ６６は、折罫線６８で側面１４の上端と区切られて設けられ、フラップ６６の折罫線２６に近い部分に段部７０が形成されている。そして、フラップ７２は折罫線７４で側面１８の上端と区切られて設けられ、フラップ７２の折罫線２８に近い部分に段部７０が形成されている。
【００１６】
そして、側面１６の上端部には、折罫線７６で区切られて、側面１６より少し小さい形の折返片７８が設けられている。折罫線７６上には、折罫線７６方向に長い楕円状の透孔８０が形成されている。折返片７８の端部には、さらに仕切構成部８２が折罫線８４で区切られて設けられている。
【００１７】
仕切構成部８２は、折罫線８４から４枚の逆くの字型の仕切片８５が形成され、４枚の仕切片８５は互いに平行で隣接し、各仕切片８５は切込線８８で各々区切られ、各切込線８８は、折罫線７６を５等分するように折罫線８４に沿って形成され、そして曲線になって折罫線８４から離れている。仕切片８５の端部には、一枚の、折罫線８４に平行な長辺を有する矩形の仕切支持部８６が設けられている。そして、各切込線８８は仕切支持部８６の端縁部付近に達している。仕切支持部８６の水平方向の側方に、糊付け片９０が切込線９１で区切られて設けられ、切込み線９１の端部には上下共に切り残し部が形成されている。各切込線８８の、仕切支持部８６側の先端から折罫線８４に直角に折罫線８７が形成されている。各切込線８８の折罫線８４側の端部から折罫線８４に直角に切込線８９が、隣接する切込線８８へ向かって上方に形成され、切込線８９と切込線８８の間には上下共に切り残し部が設けられている。
【００１８】
底蓋片９２は、折罫線９４で側面１２の下端と区切られ、底蓋片９２の端縁部には、折罫線９６で区切られて立上片９８が設けられている。また、底蓋片１００は、折罫線１０２で側面１６の下端と区切られ、底蓋片１００の端縁部には、折罫線１０４で区切られて立ち上がり片１０６が設けられている。
【００１９】
三角形の底フラップ１０８は、折罫線１１０で側面１４の下端と区切られている。そして、底フラップ１０８の折罫線２４に近い部分に、折罫線１１２で区切られて四角形状の糊付け片１１４が設けられている。また、底フラップ１１６は、折罫線１１８で側面１８の下端と区切られている。そして、底フラップ１１６の折罫線２８に近い部分に、折罫線１２０で区切られて糊付け片１２２が設けられている。
【００２０】
次にこの実施の形態の仕切付包装用箱の組み立て方法について、図面に基づいて説明する。なお、ここでは図１がこの仕切付包装用箱の箱体形成片１０の紙面表面側を見たものであり、図１において紙面表面側が凸になる折り方を正折り、そして紙面表面側が凹になる折り方を逆折りと称する。まず、折返片７８の裏面に糊１２４を塗布する。次に、図２は箱体形成片１０の裏面側を見たもので、図２に示すようにまず折罫線７６を正折りして折返片７８裏面を側面１６裏面に糊付けする。次に、糊付け片９０の表面に糊１２４を塗布し、そして図３に示すように折罫線８４を逆折りして糊付け片９０の表面を側面１４裏面に糊付けし、さらに仕切支持部８６の裏面に糊１２４を塗布する。次に折返片３８の裏面に糊１２４を塗布し、折罫線３４を正折りして折返片３８裏面を中央仕切板３０裏面に糊付けし、仕切支持板４４表面に糊１２４を塗布する。
【００２１】
次に、図４に示すように折罫線３２を正折りして内側の仕切支持部４４の表面を側面１２裏面に糊付けし、さらに底蓋片１００、９２の折罫線１０２、９４を正折りする。そして、底フラップ１０８の折罫線１１０を正折りし、罫線１１２を正折りし、糊付け片１１４裏面に糊１２４を塗布する。同様に底フラップ１１６の折罫線１１８を正折りし、罫線１２０を逆折りし、糊付け片１２２裏面に糊１２４を塗布する。また、糊付け片２０表面に糊１２４を塗布する。そして、図５に示すように折罫線２４、２８を各々正折りし、糊付け片２０を、折罫線１１８で正折りされた側面１８とフラップ１１６との間に差し込むようにし、糊付け片２０の表面を側面１８の裏面に、糊付け片１１４の裏面を底蓋片９２表面に、糊付け片１２２の裏面を底蓋片１００の表面に糊付けする。
【００２２】
次に商品を収容し包装する工場等において、折罫線２２、２４、２６、２８を各々９０°に正折りして四角形の箱体にする。このとき、中央仕切板３０の側方の折罫線３２と、仕切支持部８６側方の切込み線９１は各々９０°に正折りされ、中央仕切板３０は側面１４，１８の間に、箱体の中心に沿って形成される。そして中央仕切板３０裏面に取り付けられている仕切構成部３６は、４本の切込み線４６で正折りされ、４本の折罫線４８で逆折りされ、４本の仕切片４０は中央仕切板３０と直角に立上がり、中央仕切板３０と側面１２との間の空間を５等分する。そして中央仕切板３０表面に取り付けられている仕切構成部８２は、４本の折罫線８７で逆折りされ、４本の切込み線８９で正折りされ、４本の仕切片８５は中央仕切板３０と直角に立上がり、中央仕切板３０と側面１６との間の空間を５等分する。
【００２３】
そして、図５の状態では中央仕切板３０と底蓋片９２は重ねられているが、箱体に組み立てる際、底蓋片９２は中央仕切板３０の表面を押しながら摺動し、中央仕切板３０と直角に起こされる。このとき、中央仕切板３０は折罫線５４から容易に正折りされ、底蓋片９２の動きに支障をきたさず、組み立ての際に抵抗がない。中央仕切板３０の端縁部は、底蓋片９２に押されて糊付け片２０側に傾斜するが、中央仕切板３０の角部には切欠部５５が形成されているため、糊付け片２０に接することがない。そして、底蓋片９２、底蓋片１００は各々側面１２、１６に対して直角に起こされ、立上片９８、１０６は互いの表面を合掌状態に重ねられる。さらに、立上片９８裏面は中央仕切板３０表面と重ねられ、底面から連続して立ち上がる中央仕切が形成される。
【００２４】
そして、各仕切片で１０等分された空間に各々商品を収容する。そして、フラップ６６、７２を各々折罫線６８、７４で９０°に正折りし、折罫線５８と６２を９０°に正折りし、差込み片６０を折返片７８に沿って差し込む。
【００２５】
この実施形態の仕切付包装用箱によれば、簡単な作業工程により組み立てられ、底面から箱体内に連続して立ち上がる中央仕切と、中央仕切に対して直角で垂直方向に長い仕切が複数個形成される。これにより、商品が互いに接触したりその衝撃で破損したりすることがなく、確実に商品を保護しながら運搬や保存を行なうことができる。簡単な溝造で短時間で組み立てられるため、大量生産が可能である。そして、中央仕切は、一枚の大きな中央仕切板３０で形成されるため、丈夫で商品のがたつきを押さえることができる。上蓋部分は、切込み線６４、６４と段部７０、７０により確実に組み立て状態が保持されるが、上蓋片５６を開けるときは、透孔８０から指を差込み片６０に当接させて容易に開けることができる。
【００２６】
次に、この発明の第二実施形態について図７、図８に基づいて説明する。ここで、上述の実施の形態と同様の部材は同一の符号を付して説明を省略する。この実施形態の仕切付包装用箱は、図７に示す箱体形成片１２６が、紙製等の一枚のブランクシートを打ち抜いて形成されている。また、糊付け片２０の側方には、側面１２、１６より垂直方向長さが半分程度の小型の中央仕切板３０が折罫線３２で区切られて一体に連接して形成されている。
【００２７】
底蓋片９２は、折罫線９４で側面１２の下端と区切られている。そして、底蓋片９２の折罫線２４に近い部分に、折罫線１２８で区切られて略三角形状の糊付け片１３０が設けられている。そして、底蓋片９２の端縁部には、糊付け片１３０に近い部分は直線が形成され、端縁部の中央に曲線で形成された段部１３２が設けられている。また、底蓋片１００は、折罫線１０２で側面１６の下端と区切られている。底蓋片１００も底蓋片９２と同様に、糊付け片１３４が折罫線１３６で区切られて設けられ、端縁部には段部１３８が形成されている。台形の底フラップ１０８は、折罫線１１０で側面１４の下端と区切られ、また底フラップ１１６は、折罫線１１８で側面１８の下端と区切られている。
【００２８】
この実施の形態の仕切付包装用箱の組み立て方法は、上記の実施形態の図４に示す工程までは同様である。それ以降の組み立て方法は、まず、折罫線１２８を逆折りし、糊付け片１３０裏面に糊１２４を塗布する。同様に、折罫線１３６を逆折りし、糊付け片１３４裏面に糊１２４を塗布する。そして、折罫線２２、２８を各々正折りし、糊付け片２０を、折罫線１１８で正折りされた側面１８とフラップ１１６との間に差し込むようにし、糊付け片２０表面を側面１８裏面に、糊付け片１３０裏面を底フラップ１０８表面に、糊付け片１３４裏面を底フラップ１１６表面に糊付けする。
【００２９】
次に商品を収容し、包装する工場などにおいて、折罫線２２、２４、２６、２８を各々９０°に正折りして四角形の箱体にする。このとき、上記実施の形態と同様に中央仕切板３０は側面１４、１８の間に、箱体の中心に沿って形成される。そして、中央仕切板３０の側面から、４本の仕切片４０と４本の仕切片８５が中央仕切板３０と直角に立上がり、箱体内の空間を１０等分する。
【００３０】
そして、糊付けと折り返し工程が完了した状態から箱体とする際、底蓋片９２、１００は側面１２、１６から各々直角に起こされるが、中央仕切板３０が底蓋片９２、１００の動きを妨げない程度の上下方向幅に形成されているものである。そして、底蓋片９２の段部１３２と底蓋片１００の段部１３８は互いに係合される。
【００３１】
この実施形態の仕切付包装用箱によっても、上記実施の形態と同様の効果を有するものである。さらに、底蓋片９２と１００は互いに段部１３２、１３８により係合され、箱体の組み立て状態を保持し容易に外れないようになっている。
【００３２】
次に、この発明の第三実施形態について図９、図１０に基づいて説明する。ここで、上述の実施の形態と同様の部材は同一の符号を付して説明を省略する。この実施形態の仕切付包装用箱は、図９に示す箱体形成片１３８が、紙製等の一枚のブランクシートを打ち抜いて形成されている。
【００３３】
糊付け片２０の側方に、側面１２、１６よりわずかに小さい中央仕切板３０が折罫線３２で区切られて一体に連接して形成されている。中央仕切板３０は、水平方向にほぼ中央に折罫線１４０が設けられ、折罫線１４０は折罫線３２付近に切り残し部を形成し、折罫線１４０の折罫線３２側の端部から折罫線３２と平行に切込線１４２が下方に向かって形成されている。切込線１４２付近の中央仕切板３０の端縁部は、三角形状の切欠部１４４が形成されている。
【００３４】
底蓋片９２は、折罫線９４で側面１２の下端と区切られ、底蓋片９２の端縁部中央付近には、折罫線１４６で区切られて立上片１４８が設けられている。立上片１４８の折罫線２２側の側方には折罫線１４６より外側に突出した段部１５０が形成され、立上片１４８と段部１５０の境界線には切込線１５２が形成されている。また、底蓋片１００は、折罫線１０２で側面１６の下端と区切られ、底蓋片１００の端縁部中央付近には、折罫線１５４で区切られて立上片１５６が設けられている。立上片１５６の折罫線２６側の側方には段部１５８が形成され、立上片１５６との境界線には切込線１６０が形成されている。
【００３５】
三角形の底フラップ１０８は、折罫線１１０で側面１４の下端と区切られている。そして、底フラップ１０８の折罫線２４に近い部分に、折罫線１１２で区切られて四角形状の糊付け片１１４が設けられている。また、底フラップ１１６は、折罫線１１８で側面１８の下端と区切られている。そして、底フラップ１１６の折罫線２８に近い部分に、折罫線１２０で区切られて糊付け片１２２が設けられている。
【００３６】
この実施の形態の仕切付包装用箱の組み立て方法は、第一実施形態と同様である。ただし、商品を収容し、包装する工場などにおいて折罫線２２、２４、２６、２８を各々９０°に正折りして四角形の箱体とするとき、中央仕切板と重ねられた底蓋片９２は、中央仕切板３０の表面を押しながら摺動する。このとき中央仕切板３０は折罫線１４０から容易に正折りされ、切込み線１４２で自由に動くことができ底蓋片９２の動きに支障をきたさず、組み立ての際に抵抗がない。中央仕切板３０の端縁部は、底蓋片９２に押されて糊付け片２０側に傾斜するが、中央仕切板３０の端縁部には切欠部１４４が形成されているため、糊付け片２０に接することがない。
【００３７】
そして、底蓋片９２の折罫線１４６と、底蓋片１００の折罫線１５４は各々９０°に正折りされ、立上片１４８、１５６は互いの表面を合掌状態に重ねられる。さらに立上片１４８裏面は中央仕切板３０表面と重ねられ、底面から連続して立ち上がる中央仕切が形成される。このとき、段部１５０の切込み線１５２と段部１５８の切込み線１６０が、互いに重ねられた立上片１４８、１５６の基端部に係合される。
【００３８】
この実施形態の仕切付包装用箱によっても、上記実施形態と同様の効果を有するものである。さらに、底蓋片９２と１００は互いに係合され、箱体の組み立て状態を保持し容易に外れないようになっている。また、底面から箱体内に連続して立ち上がる中央仕切が形成され、確実に商品の保護を行なうものである。
【００３９】
なお、この発明の仕切付包装用箱は、上記各実施形態に限定されるものではなく、素材や、各部材の形状など適宜変更可能である。収容する商品の数は１０個に限定されるものではなく、仕切の数を変更して何個でも収納することができる。
【００４０】
【発明の効果】
この発明の仕切付包装用箱は、簡単な溝造でワンタッチで組み立てられ、丈夫な中央仕切と、この中央仕切に交差して、上下方向が長い仕切が複数個形成され、商品が互いに接触することがなく、確実に商品を保護し収容するものである。
【図面の簡単な説明】
【図１】  この発明の第一実施形態の仕切付包装用箱の展開図である。
【図２】  この実施形態の仕切付包装用箱の組み立て工程の第一段階を示す正面図である。
【図３】  この実施形態の仕切付包装用箱の組み立て工程の第二段階を示す正面図である。
【図４】  この実施形態の仕切付包装用箱の組み立て工程の第三段階を示す正面図である。
【図５】  この実施形態の仕切付包装用箱の組み立て工程の第四段階を示す正面図である。
【図６】  この実施形態の仕切付包装用箱の組み立て状態を示す部分破断斜視図である。
【図７】  この発明の第二実施形態の仕切付包装用箱の展開図である。
【図８】  この実施形態の仕切付包装用箱の組み立て状態を示す部分破断斜視図である。
【図９】  この発明の第三実施形態の仕切付包装用箱の展開図である。
【図１０】  この実施形態の仕切付包装用箱の組み立て状態を示す部分破断斜視図である。
【符号の説明】
１０    箱体形成片
１２、１４、１６、１８    側面
２０    糊付け片
３０    中央仕切板
３６、８２    仕切構成部
４０、８５    仕切片
５６    上蓋片
９２、１００    底蓋片
９８、１０６    立上片
【図１】
0003881728.tif 000002
【図２】
0003881728.tif 000003
【図３】
0003881728.tif 000004
【図４】
0003881728.tif 000005
【図５】
0003881728.tif 000006
【図６】
0003881728.tif 000007
【図７】
0003881728.tif 000008
【図８】
0003881728.tif 000009
【図９】
0003881728.tif 000010
【図１０】
0003881728.tif 000011